(57)【要約】【課題】短時間での検査が可能であり、しかも作業負荷を軽減できるようにすること。【解決手段】接続用配管部２にコック４を介して上向き状態で接続され、消火栓ホースＨの一端側金具と他端側金具をそれぞれ接続するための媒介金具５，６を先端に有する二股状の取付用配管部３と、取付用配管部３の各媒介金具５，６の直上にてそれぞれ消火栓ホースＨを締付け状態で固定するための一対のクランプ８，９を備えた支持部７と、接続用配管部２に接続されて上方に延びるとともに止水バルブ１２を備えた補給水部１１と、接続用配管部２に接続される手動水圧発生機１５と、少なくとも接続用配管部２と手動水圧発生機１５のいずれかに取り付けられた圧力計１８とを具備する。予め補給水部から消火栓ホース内に水を入れておくことにより、手動水圧発生機のみで水を送り込む場合に比べて短時間で検査を行える。【選択図】　　　　図２
2004065433.tif 000002
【特許請求の範囲】
【請求項１】
接続用配管部にコックを介して上向き状態で接続され、消火栓ホースの一端側金具と他端側金具をそれぞれ接続するための媒介金具を先端に有する二股状の取付用配管部と、取付用配管部の各媒介金具の直上にてそれぞれ消火栓ホースを締付け状態で固定するための一対のクランプを備えた支持部と、接続用配管部に接続されて上方に延びるとともに止水バルブを備えた補給水部と、接続用配管部に接続される手動水圧発生機と、少なくとも接続用配管部と手動水圧発生機のいずれかに取り付けられた圧力計とを具備したことを特徴とする消火栓ホース用耐圧試験装置。
【請求項２】
取付用配管部と支持部を２組設けたことを特徴とする請求項１に記載の消火栓ホース用耐圧試験装置。
【発明の詳細な説明】
【０００１】
【発明の属する技術分野】
本発明は、消火栓に配備されている消火栓ホースの検査を行う際に使用する耐圧試験装置に関するものである。
【０００２】
【従来の技術】
通常、工場や店舗などは防火対象物として屋内消火栓設備の設置が義務づけられている。この屋内消火栓に取り付けられた消火栓ホースは、使用や年月の経過とともに劣化が進行し、使用に耐えられなくなっている場合があるため、消火栓設備とともに消火栓ホースについても定期的に点検することが消防法により義務づけられている。
【０００３】
この消火栓ホースの点検は、以前は外観検査で行っており、裂け等の目に見える不具合しか発見できないというのが実情であった。そこで、日本消防ホース工業会は、長年にわたり多数の屋内消火栓ホースを実際に回収し、経年劣化に関する調査研究を行った。その結果として、金具の接続部より２０ｃｍまでの範囲が最も傷みやすく、この近傍部２０ｃｍのみに圧力を加えて確認すれば、ホース全体を試験した場合と比較して９５％以上の割合でホースの良否に関する判定ができるとの報告を出すとともに、この研究結果に基づき、手動によって簡便に金具近傍部の耐圧試験ができる装置を開発するに至っている。
【０００４】
このようにして開発された屋内消火栓ホース耐圧試験装置は、消火栓ホースの一端側金具と他端側金具をそれぞれ媒介金具を介して配管に接続し、その接続箇所から２０ｃｍ程度のところをクランプした後、配管を通して消火栓ホースにおける金具とホース２０ｃｍ部のみに手動水圧発生機により水圧を加えるように構成したものである。
【０００５】
【発明が解決しようとする課題】
従来の技術で述べた消火栓ホース耐圧試験装置は、上記したように、消火栓ホースにおける金具とホース２０ｃｍ部に対し、手動水圧発生機により水を送って水圧をかけるようにしている。このため、検査に時間がかかる上に、作業負荷が大きいという問題がある。
【０００６】
本発明は、上記のような事情に鑑みてなされたものであり、その目的とするところは、短時間での検査が可能であり、しかも作業負荷を軽減できるようにした消火栓ホース用耐圧試験装置を提供することにある。
【０００７】
【課題を解決するための手段】
上記の目的を達成するために、本発明の消火栓ホース用耐圧試験装置は、接続用配管部にコックを介して上向き状態で接続され、消火栓ホースの一端側金具と他端側金具をそれぞれ接続するための媒介金具を先端に有する二股状の取付用配管部と、取付用配管部の各媒介金具の直上にてそれぞれ消火栓ホースを締付け状態で固定するための一対のクランプを備えた支持部と、接続用配管部に接続されて上方に延びるとともに止水バルブを備えた補給水部と、接続用配管部に接続される手動水圧発生機と、少なくとも接続用配管部と手動水圧発生機のいずれかに取り付けられた圧力計とを具備したことを特徴としている。
【０００８】
そして、取付用配管部と支持部を２組設けた構成とすることが好ましいものである。
【０００９】
【発明の実施の形態】
以下、本発明の実施の形態について図面を参照しながら説明する。
【００１０】
図１は本発明に係る消火栓ホース用耐圧試験装置の具体的な一例を示す外観斜視図である。
【００１１】
この消火栓ホース用耐圧試験装置は、キャスター付きのベース板１の上に図示の如く十字状の接続用配管部２を固定してある。そして、その接続用配管部２における相対する２つの接続部に、それぞれ二股状の取付用配管部３がコック４を介して上向き状態で取り付けられている。そして、この取付用配管部３の２つの先端には消火栓ホースの一端側金具と他端側金具をそれぞれ接続するための媒介金具５，６が取り付けられている。
【００１２】
また、ベース板１には、それぞれの取付用配管部３に隣接して棒状の支持部７が直立状態で固定されている。これらの支持部７は、取付用配管部３の各媒介金具５，６の直上にてそれぞれ消火栓ホースを締付け状態で固定するための一対のクランプ８，９を備えており、これらのクランプ８，９は、媒介金具５，６より２０ｃｍ程度上方に位置するように設計されている。なお、図示の例では２本の支持部７をかすがい１０で連結して強度を大きくしている。
【００１３】
接続用配管部２における残り２つの接続部の内の１つに、補給水部を構成する補給水パイプ１１が上方を向くように取り付けられている。そして、その補給水パイプ１１の上端には止水バルブ１２を介して補給水ロート１３が取り付けられており、図示の例では補給水パイプ１１の高さをクランプ８，９と同様な高さにしている。
【００１４】
また、接続用配管部２における残り１つの接続部には、カプラ挿入口１４が取り付けられており、手動水圧発生機１５における高圧ホース１６の先端が取り付けられるようになっている。そして、手動水圧発生機１５のブローバルブ１７のところに圧力計１８が取り付けられている。なお、圧力計は少なくとも接続用配管部２と手動水圧発生機１５のいずれかに取り付けられていれぱよい。
【００１５】
上記の構成からなる消火栓ホース用耐圧試験装置の使い方を説明すると次のようである。
【００１６】
まず、図２に示すように、消火栓ホースＨをセットする。具体的には、一本の消火栓ホースＨにおける一端側金具と他端側金具を取付用配管部３の媒介金具５，６にそれぞれ挿入して確実に接続した後、消火栓ホースＨを直上に引っ張りながら、クランプ８，９のところまで引き上げて挟み込み、その挟んだホースの部分をボルトなどで締め付ける。
【００１７】
次いで、接続用配管部２に手動水圧発生機１５を取り付ける。具体的には、手動水圧発生機１５のトレー１９に水を張るとともにブローバルブ１７を閉めた後、高圧ホース１６の先端をカプラ挿入口１４に接続する。
【００１８】
続いて、補給水部の止水バルブ１２を開けた状態で補給水ロート１３から水を入れ、消火栓ホースＨをセットした方のコック４を開いて、取付用配管部３と消火栓ホースＨの中にサイフォンの原理で水を充満させる。その後、補給水部の止水バルブ１２を閉めるとともに、手動水圧発生機１５のブローバルブ１７を開ける。
【００１９】
このようにして準備を終えてから、手動水圧発生機１５のレバー２０を上下に動かし、水を系内に送り込む。そして、徐々に圧力を高め、７ｋｇ／ｃｍ２　まで上げ、ホースと金具の接続部付近での水漏れをチェックする。これにより、消火栓ホースＨにおける金具の接続部より２０ｃｍまでの範囲について検査を行うことができる。検査が終了したら、手動水圧発生機１５のブローバルブ１７を開けて消火栓ホースＨから水を抜く。
【００２０】
なお、通常の屋内消火栓設備には、一箇所に２本の消火栓ホースが配備されているが、図１に示す消火栓ホース用耐圧試験装置では、この２本の消火栓ホースを同時に検査することができる。すなわち、もう一方の取付用配管部３に同じようにして消火栓ホースをセットし、両方のコック４を開いて水を送るようにすればよい。
【００２１】
以上、本発明の実施の形態について詳細に説明してきたが、本発明による消火栓ホース用耐圧試験装置は、上記した実施の形態に何ら限定されるものではなく、本発明の趣旨を逸脱しない範囲において種々の変更が可能であることは当然のことである。
【００２２】
【発明の効果】
以上説明したように、本発明の消火栓ホース用耐圧試験装置によれば、手動水圧発生機により水を系内に送り込む前に予め補給水部から消火栓ホース内に水を入れておくことにより、手動水圧発生機のみで水を送り込む場合に比べて短時間で検査を行うことが可能となり、作業負荷も軽減することができる。
【００２３】
また、取付用配管部と支持部を２組設けておくことにより、通常は一箇所に２本配備されている２本の消火栓ホースを同時に検査することができる。
【図面の簡単な説明】
【図１】本発明に係る消火栓ホース用耐圧試験装置の具体的な一例を示す外観斜視図である。
【図２】図１に示す消火栓ホース用耐圧試験装置に消火栓ホースをセットした状態で示す外観斜視図である。
【符号の説明】
１　ベース板
２　接続用配管部
３　取付用配管部
４　コック
５，６　媒介金具
７　支持部
８，９　クランプ
１０　かすがい
１１　補給水パイプ
１２　止水バルブ
１３　補給水ロート
１４　カプラ挿入口
１５　手動水圧発生機
１６　高圧ホース
１７　ブローバルブ
１８　圧力計
１９　トレー
２０　レバー
【図１】
2004065433.tif 000003
【図２】
2004065433.tif 000004